(57)【要約】【課題】  組み立て式の収納箱を、贈答用の花卉商品の包装に適したものとすることができるようにする。【解決手段】  展開状態では一枚の厚紙となる台紙に対して、四方の側面部と底面部と手提げ部を含めた上面部とを所定の折り曲げによって構成することができる組み立て式の収納箱であって、底面部が二重構造をなし、第一上面部における第一手提げ部との境界部分の近傍には、箱内部と連通する少なくとも一つの空気孔を備えていること。【選択図】  図２
0003114249.tif 000002
【実用新案登録請求の範囲】
【請求項１】
展開状態では一枚の厚紙となる台紙に対して、四方の側面部と底面部と手提げ部を含めた上面部とを所定の折り曲げによって構成することができる組み立て式の収納箱であって、底面部が二重構造をなすことを特徴とする収納箱。
【請求項２】
展開状態では一枚の厚紙となる台紙に対して、四方の側面部と底面部と手提げ部を含めた上面部とを所定の折り曲げによって構成することができる組み立て式の収納箱であって、
箱内に商品を載置するための第一底面部と、
その第一底面部の上辺に連続された第一側面部と、
その第一側面部の左辺に連続された第二側面部と、
第一側面部の右辺に連続された第三側面部と、
その第三側面部の右辺と連続し、前記第一側面部と対称位置に配置される第四側面部と、
前記第一側面部の上辺に連続された第一上面部と、
その第一上面部の上辺の中央付近に沿って形成された切り込みと、その切り込みを介して連続された第一手提げ部と、
その第一手提げ部の端辺から突出した第一突出片および第二突出片と、
前記第四側面部の上辺に連続された第二上面部と、
その第二上面部の上辺の中央付近に沿って形成された切り込みと、その切り込みを介して連続された第二手提げ部と、
その第二手提げ部の端辺から突出した第三突出片および第四突出片と、
前記第四側面部の下辺に連続された第二底面部と、
前記第二側面部の上辺に連続し、前記第一突出片および第四突出片が挿入可能な第一挿入口を有する第一上面補強部と、
前記第二側面部の下辺に連続し、前記第一底面部の一部に貼り合わされる第一接続片を有する第一底面補強部と、
前記第三側面部の上辺に連続し、前記第二突出片および第三突出片が挿入可能な第二挿入口を有する第二上面補強部と、
前記第三側面部の下辺に連続し、前記第二底面部の一部に貼り合わされる第二接続片を有する第二底面補強部と、
を備えるとともに、
前記第一底面部が、前記第二底面部、第一底面補強部および第二底面補強部と貼り合わされて底面が形成されるとともに、
第一底面部が第二底面部、第一底面補強部および第二底面補強部よりも上側に配置され、かつ内底面を被覆可能な大きさの一枚片としたことを特徴とする収納箱。
【請求項３】
第一上面部における第一手提げ部との境界部分の近傍には、箱内部と連通する少なくとも一つの空気孔を備えたことを特徴とする請求項１または請求項２に記載の収納箱。
【請求項４】
第二上面部における第一手提げ部との境界部分の近傍には、箱内部と連通する少なくとも一つの空気孔を備えたことを特徴とする請求項１から請求項３のいずれかに記載の収納箱。
【考案の詳細な説明】
【技術分野】
【０００１】
本考案は、物品を収納する収納箱に関する。特に、花卉商品を収納することに適しており、且つ一枚の台紙を所定形状に切り取り、且つ所定箇所を折り曲げあるいは接着することで形成できる収納箱の技術に関する。
【背景技術】
【０００２】
例えば、記念日や誕生日などでは、ケーキや花束などをプレゼントする人が多い。ケーキの場合は、記念日や誕生日用のケーキとして注文し、そのケーキ自体に所望するデコレーションを施すなどした上で、ケーキ専用のケーキ箱に入れられて相手に贈られる場合がある。
【０００３】
なお、本考案に関連する発明として特開２００１−４８２６４号公報を抽出した。この発明によれば、フラップ部を有するケーキ箱において、フラップ部に、上下に切込線を入れて切込片を形成させ、この切込片とフラップ部間で、蓄冷剤を収納可能な収納部を形成させている。このため、フラップ部間に蓄冷剤が収納可能になり、輸送中に蓄冷剤が移動してケーキを傷付けず、また蓄冷剤はケーキ箱のコーナー部に収まるようになる。
【０００４】
【特許文献１】特開２００１−４８２６４号公報
【考案の開示】
【考案が解決しようとする課題】
【０００５】
一方、花束やアレンジメントフラワーなどに代表される花卉商品の場合では、購入ユーザが、色、デザインおよび価格などから所望する花卉商品を選択し、店員によってラッピング処理される。ラッピングの種類としては店舗や商品によって様々であるものの、通常は透過性や半透過性の袋でラッピングされることが多い。
これは、視覚的な美観を損なわない配慮がされるとともに、呼吸をしている生鮮品である花卉商品に対して通気性を確保ためである。このため、ラッピングされた商品が花卉商品であることは、外観から一目で認識可能となる。
【０００６】
ここで、購入ユーザが男性である場合の心理状態を検討してみると、以下のように大別される。すなわち、花卉商品を購入することに抵抗がない男性、花卉商品を購入することに抵抗がある男性、花卉商品の購入には抵抗はないが、購入した花卉商品を自宅などに持ち帰ることに抵抗がある男性、の三通りの男性が存在する。つまり、花卉商品を購入したいが、恥ずかしいので購入できない、とする潜在顧客が多く存在している。
【０００７】
恥ずかしさを軽減したい潜在顧客に対しては、周囲から分からないような箱などに花卉商品を収納する手段が考えられる。しかし、通常のアレンジメントフラワーなどの花卉商品は、陶器製などの容器に花の切り口を固定できるスポンジ状の土台に水を含ませて形成されている。この場合、大きさの割に重量があるため、強度上の問題が懸念される。更に、花卉商品という商品形態である以上、美観を損なわずにラッピングする必要もある。
【０００８】
すなわち、外観上は花卉商品とは認識できず、強度が十分で、しかも簡便な包装が求められることになるが、これらを同時に達成するのは困難であった。また、花卉商品のような生鮮商品としては、長い時間密封状態であることは好ましくないので、その鮮度を維持しておくための何らかの手段も必要となっていた。
【０００９】
販売促進の見地から潜在ニーズを分析すると、プレゼントを贈る側の楽しみの一つとしては、相手に喜んで貰いたいことは当然であるが、相手を驚かせたい、という考えもあるはずである。つまり、前述したように、購入ユーザの潜在ニーズを満たす商品を提供することができれば、新規ユーザを獲得することができ、販売促進に高い効果を生むことができるはずである。
【００１０】
本考案が解決しようとする課題は、外観上は花卉商品とは認識できず、強度が十分で、しかも簡便な収納箱を提供することにある。
【課題を解決するための手段】
【００１１】
（請求項１）
請求項１に記載の考案は、展開状態では一枚の厚紙となる台紙に対して、四方の側面部と底面部と手提げ部を含めた上面部とを所定の折り曲げによって構成することができる組み立て式の収納箱である。すなわち、底面部が二重構造をなす収納箱に係る。
【００１２】
（作用）
請求項１に記載の考案によれば、収納箱の底面部を二重構造としたことで、収納箱に十分な強度を保つことが可能な構造とすることができる。例えば、ケーキなどの軽量の商品を収納していた収納箱であっても、二重構造とすることで、比較的に重量のある商品を収納可能となる。そして、最も負担の大きい底面のみを二重構造にして補強しているので、全体の材質の強度を上げるよりも、材料費、総重量などの点で合理的である。
なお、厚紙とは、主にＡフルート、Ｂフルート、Ｅフルート、Ｆフルート、Ｇフルートなどがある。いわゆる段ボール箱を形成する「段ボール紙」も含む。
【００１３】
（請求項２）
請求項２に記載の考案は、展開状態では一枚の厚紙となる台紙に対して、四方の側面部(20,30,40,50)と底面部(10)と手提げ部(65,75)を含めた上面部(60,70)とを所定の折り曲げによって構成することができる組み立て式の収納箱(1)である。
すなわち、箱内に商品を載置するための第一底面部(10)と、その第一底面部(10)の上辺に連続された第一側面部(20)と、その第一側面部(20)の左辺に連続された第二側面部(30)と、第一側面部(20)の右辺に連続された第三側面部(40)と、その第三側面部(40)の右辺と連続し、前記第一側面部(20)と対称位置に配置される第四側面部(50)と、前記第一側面部(20)の上辺に連続された第一上面部(60)と、その第一上面部(60)の上辺の中央付近に沿って形成された切り込み(61)と、その切り込み(61)を介して連続された第一手提げ部(65)と、その第一手提げ部(65)の端辺から突出した第一突出片(65a)および第二突出片(65b)と、  前記第四側面部(50)の上辺に連続された第二上面部(70)と、その第二上面部(70)の上辺の中央付近に沿って形成された切り込み(71)と、その切り込み(71)を介して連続された第二手提げ部(75)と、その第二手提げ部(75)の端辺から突出した第三突出片(75a)および第四突出片(75b)と、
前記第四側面部(50)の下辺に連続された第二底面部(80)と、前記第二側面部(30)の上辺に連続し、前記第一突出片(65a)および第四突出片(75b)が挿入可能な第一挿入口(33)を有する第一上面補強部(35)と、前記第二側面部(30)の下辺に連続し、前記第一底面部(10)の一部に貼り合わされる第一接続片(37)を有する第一底面補強部(38)と、前記第三側面部(40)の上辺に連続し、前記第二突出片(65b)および第三突出片(75a)が挿入可能な第二挿入口(43)を有する第二上面補強部(45)と、前記第三側面部(40)の下辺に連続し、前記第一底面部(10)の一部に貼り合わされる第二接続片(47)を有する第二底面補強部(48)と、を備えるとともに、前記第一底面部(10)が、前記第二底面部(80)、第一底面補強部(38)および第二底面補強部(48)と貼り合わされて底面が形成されるとともに、第一底面部(10)が第二底面部(80)、第一底面補強部(38)および第二底面補強部(48)よりも上側に配置され、かつ内底面を被覆可能な大きさの一枚片としたことを特徴とする収納箱。
【００１４】
（作用）
請求項２に記載の考案によれば、第一底面部(10)が第二底面部(80)、第一底面補強部(38)および第二底面補強部(48)よりも上側に配置され、かつ一枚片として内底面を覆うように形成したので、商品がある程度の重量を伴っていても、それに十分に対応可能な強度を有することができる。
すなわち、収納箱は、第二底面補強部(48)の第二接続片(47)の裏側部分に糊付けし、第二底面部(80)に重ね合わせて相互を貼り合わす。第一底面補強部(38) の第一接続片(37)の裏側部分に糊付けし、第一底面部(10)に重ね合わせて相互を貼り合わす。糊代部(31)を山折りし、第四側面部(50)の内壁部分に貼り合わす。この際、第二底面部(80)よりも第一底面部(10)が上部に位置するようにする。これにより、底面部分および側面部分が形成され、上面から見ると、第一底面部(10)が一枚片として配置されていることになる。
【００１５】
（請求項３）
請求項３に記載の考案は、請求項１または請求項２に記載の収納箱を限定したものであり、第一上面部(60)における第一手提げ部(65)との境界部分の近傍には、箱内部と連通する少なくとも一つの空気孔(68)を備えたことを特徴とする。
【００１６】
（作用）
請求項３に記載の考案によれば、収納箱の第一上面部に空気孔を備えることで、箱内部と外部との空気循環が有用に作用し、商品の鮮度維持に寄与するため好ましい。また、空気孔の場所を境界部分の近傍とすれば、収納箱の組み立て時に第一手提げ部と第二上面補強部との位置関係によって空気孔が外部からは視認しにくいようになる。このようにすれば、商品内容を把握されないので、例えばプレゼント用の収納箱にも好適となる。
【００１７】
（請求項４）
請求項４に記載の考案は、請求項１から請求項３のいずれかに記載の収納箱を限定したものであり、第二上面部(70)における第一手提げ部(75)との境界部分の近傍には、箱内部と連通する少なくとも一つの空気孔(78)を備えたことを特徴とする
【００１８】
（作用）
請求項４に記載の考案によれば、収納箱の第二上面部に空気孔を備えることで、箱内部と外部との空気循環が有用に作用し、商品の鮮度維持に寄与するため好ましい。また、請求項３にように、第一上面部に加えて、第二上面部にも空気孔を設けることで、空気循環の効果をより高めることになる。
【考案の効果】
【００１９】
請求項１から請求項４に記載の考案によれば、外観上は花卉商品とは認識できず、強度が十分で、しかも簡便な収納箱を提供することができた。
【考案を実施するための最良の形態】
【００２０】
以下、図面に示した本考案の実施形態に基づき、本考案をさらに詳細に説明する。ここで使用する図面は、図１から図３である。図１は、収納箱の全体構成を示す斜視図であり、図２は、収納箱を展開した状態を示す展開図であり、図３は、収納箱の底面部の構造を示した上面図である。
【００２１】
本考案に基づく収納箱１は、展開状態では一枚の厚紙となる台紙に対して、四方の側面部と底面部と手提げ部を含めた上面部とを所定の折り曲げによって構成することができる組み立て式の収納箱であり、箱内に花卉商品を収納可能な大きさの空間を有する略直方体状の箱体２と、その箱体２に連続した上面に収納箱１を手提げ状に把持可能な把持部３とによって形成されたケーキ箱型に形成された収納箱である。ここで、収納箱１の展開状態について説明すると、図２に示すように構成されている。
【００２２】
すなわち、花卉商品が載置される第一底面部１０の上辺に第一側面部２０が連続されている。この第一側面部２０の左辺には、第二側面部３０が連続され、第一側面部２０の右辺には、第三側面部４０が連続されている。第三側面部４０の右辺には、箱体２を組み立てた際に第一側面部２０と対称位置に配置される第四側面部５０が連続され、箱体２の側面部分を構成している。第一側面部２０および第四側面部５０には、商標を含む店名やブランド名などが表示可能なロゴ表示部４を備えている。
【００２３】
また、上面部分は第一上面部６０および第二上面部７０の二つの部材によって以下のように構成されている。
第一側面部２０の上辺に連続された第一上面部６０は、第一上面部６０の上辺の中央付近に沿って切り込み６１が形成され、その切り込み６１を介して第一手提げ部６５が連続されている。第一手提げ部６５は、その端辺から突出した第一突出片６５ａおよび第二突出片６５ｂを有する。なお、切り込み６１によって第一上面部６０から突出した第一上面突出片６２が形成される。
【００２４】
また、第一手提げ部６５の境界線となる第一上面部６０には、箱体２内部と連通する二つの空気孔６８が設けられている。空気孔６８は、直径１ｍｍから５ｍｍ程度の小さな孔で形成された略円形状に形成された開口であり、外部の空気を箱体２内部に循環させる機能を有する。
なお、空気孔６８の場所を境界部分の近傍とすれば、収納箱１の組み立て時に第一手提げ部６５と第二上面補強部４５との位置関係によって空気孔６８が外部からは視認しにくいようになる。このようにすれば、商品内容を把握されないので、贈答用の収納箱に好適となる。
【００２５】
第四側面部５０の上辺に連続された第二上面部７０は、第二上面部７０の上辺の中央付近に沿って切り込み７１が形成され、その切り込み７１を介して第二手提げ部７５が連続されている。第二手提げ部７５は、その端辺から突出した第三突出片７５ａおよび第四突出片７５ｂを有する。なお、切り込み７１によって第二上面部７０から突出した第二上面突出片７２が形成される。
【００２６】
また、第一上面部６０同様に、第二手提げ部７５の境界線となる第二上面部７０には、箱体２内部と連通する二つの空気孔７８が設けられている。空気孔７８は、直径１ｍｍから５ｍｍ程度の小さな孔で形成された略円形状に形成された開口であり、外部の空気を箱体２内部に循環させる機能を有している。また、第四側面部５０の下辺には第二底面部８０が連接されている。
【００２７】
また、第二側面部３０には、その上辺に連続した第一上面補強部３５、第二側面部３０の下辺に連続した第一底面補強部３８および第二側面部３０の左辺に連続し、第四側面部５０の内壁に接着される糊代部３１を備える。第一上面補強部３５は、第一突出片６５ａおよび第四突出片７５ｂが挿入可能な開口である第一挿入口３３を有する。一方、第一底面補強部３８は、その一部が第一底面部１０の一部に貼り合わされる第一接続片３７を備える。
【００２８】
また、第三側面部４０には、その上辺に連接した第二上面補強部４５と、第三側面部４０の下辺に連続した第二底面補強部４８を備える。第二上面補強部４５は、第二突出片６５ｂおよび第三突出片７５ａが挿入可能な開口である第二挿入口４３を有する。一方、第二底面補強部４８は、その一部が第一底面部１０の一部に貼り合わされる第二接続片４７を備える。
つまり、第一底面部１０が、第二底面部８０、第一底面補強部３８および第二底面補強部４８と接着されて底面部分が形成される。この底面部分は、第一底面部１０が第二底面部８０、第一底面補強部３８および第二底面補強部４８よりも上側に配置され、かつ内底面を被覆可能な大きさの一枚片となっている。
【００２９】
次に、製造過程について説明する。ここで、本実施形態における収納箱１の材質は、厚紙を採用している。この厚紙を図２に示す形状に切り抜き、切れ込みや折れ線を入れる。そして、所定の折れ線に沿って折り曲げ形成していく。
（底面部分・側面部分の形成）
図２において、第二底面補強部４８の第二接続片４７の裏側部分に糊付けし、第二底面部８０に重ね合わせて相互を貼り合わす。
次に、第一底面補強部３８の第一接続片３７の裏側部分に糊付けし、第一底面部１０に重ね合わせて相互を貼り合わす。
そして、糊代部３１を山折りし、第四側面部５０の内壁部分に貼り合わす。この際、第二底面部８０よりも第一底面部１０が上部に位置するようにする。これにより、底面部分および側面部分が形成される。これを上面から見た図が図３である。
【００３０】
ここで、底面部の位置関係について説明するが、図３に示す点線部分は第一底面部１０よりも下側に配置されている底面部（第二底面部８０、第一底面補強部３８、第二底面補強部４８）を示している。
図３に示すように、第一底面補強部３８と第二底面補強部４８とは、中心線Ｙを基準として対称に配置されている。また、第一底面部１０と第二底面部８０とは、中心線Ｘを基準として各端面１１、８１が平行になるように配置されている。そして、第一底面部１０は、第一底面補強部３８、第二底面補強部４８および第二底面部８０よりも上側に配置され、かつ内底面を被覆可能な大きさの一枚片として形成されていることになる。
【００３１】
（上面部分の形成）
次に、第一側面部１０の上辺と第四側面部５０の上辺をそれぞれ山折りするとともに、第一上面部６０の第一手提げ部６５と第二上面部７０の第二手提げ部７５の裏側同士を相互に接する。この際、第一上面突出片６２および第二上面突出片７２のどちらか一方を上または下にして重ね合わせる。この状態で、収納箱１の上面部分が形成されて箱体２内部が外部から見えないようになる。
さらに、立設状態にした第一上面補強部３５の第一挿入口３３に、第一突出片６５ａおよび第四突出片７５ｂを挿入する。また反対側も同様に、立設状態にした第二上面補強部４５の第二挿入口４３に、第二突出片６５ｂおよび第三突出片７５ａを挿入する。このようにして収納箱１が組み立てられた状態が図１である。
【００３２】
（従来の底面部構造）
ここで、従来の底面部構造の説明を行う。収納箱１ａは、図４に示すように、従来のケーキ箱などの底面部は、第一底面部１０ａは、第二底面部８０ａ、第一底面補強部３８ａおよび第二底面補強部４８ａの端面と略平行に形成されており、これら各底面部を組み立てると、図５のようになる。つまり、第一底面部１０ａと第二底面部８０ａとの間には、若干ながら間域Ｈが生じてしまう場合がある。これは、収納箱に収納する商品の重さがケーキなどの比較的軽量の商品であれば、間域Ｈがあっても特に問題はない。しかし、アレンジメントフラワーなどに代表される陶器製の花卉商品では、ケーキよりもかなりの重量があるため、底抜けしてしまうおそれがある。
【００３３】
すなわち、収納箱１の第一底面部１０が一枚片として内底面を覆うように二重構造として形成されているので、花卉商品がある程度の重量を伴っていても、それに十分に対応可能な強度を有することになる。特に、最も負担の大きい底面のみを二重構造にして補強しているので、全体の材質の強度を上げるよりも、材料費、総重量などの点で合理的である。
また、本考案の収納箱１は、外観形状がケーキ箱型の匿体として形成されているため、外観上は花卉商品とは認識できず、購入ユーザが男性であっても、購入時における抵抗感を減少させることができる。
さらに、ケーキ箱型の収納箱としたことで、美観も損なわれていない上、包装時も簡便な作業ですむ。
【００３４】
また一見、ケーキ箱にしか見えない箱の中にケーキではなく花卉商品が入っていることで、相手が驚く可能性が非常に高いという効果も付加されることになり、購入ユーザの潜在ニーズを満たす商品が提供できる。
さらにまた、収納箱の上面部分に空気孔を設けたことで、花卉商品の鮮度維持に寄与する。なお、空気孔の場所を境界部分の近傍とすることで、空気孔の位置が外部からは視認しにくいようになる。このため、商品内容を把握されないので、プレゼント用の収納箱に好適である。
【００３５】
なお、本実施形態における収納箱１の材質は、厚紙を採用しているが、これに限定されるものではない。たとえば、小さな鉢植えレベルの花卉商品を包装する場合には、段ボール紙を採用することもできる。
【図面の簡単な説明】
【００３６】
【図１】本考案における収納箱の全体構成を示す斜視図である。
【図２】収納箱を展開した状態を示す展開図である。
【図３】収納箱の底面部の構造を示した上面図である。
【図４】従来の収納箱を展開した状態を示す展開図である。
【図５】従来の収納箱の底面部の構造を示した上面図である。
【符号の説明】
【００３７】
１  収納箱                ２  箱体
３  把持部                ４  ロゴ表示部
１０  第一底面部          １１  端面
２０  第一側面部
３０  第二側面部          ３１  糊代部
３３  第一挿入口          ３５  第一上面補強部
３７  第一接続片          ３８  第一底面補強部
４０  第三側面部          ４３  第二挿入口
４５  第二上面補強部      ４７  第二接続片
４８  第二底面補強部      ５０  第四側面部
６０  第一上面部          ６１  切り込み
６２  第一上面突出片      ６５  第一手提げ部
６５ａ  第一突出片        ６５ｂ  第二突出片
６８  第一空気孔
７０  第二上面部          ７１  切り込み
７２  第二上面突出片      ７５  第二手提げ部
７５ａ  第三突出片        ７５ｂ  第四突出片
７８  空気孔
８０  第二底面部          ８１  端面
Ｈ  間域
【図１】
0003114249.tif 000003
【図２】
0003114249.tif 000004
【図３】
0003114249.tif 000005
【図４】
0003114249.tif 000006
【図５】
0003114249.tif 000007